【手続補正書】
【提出日】平成25年9月11日(2013.9.11)
【手続補正１】
【補正対象書類名】特許請求の範囲
【補正対象項目名】全文
【補正方法】変更
【補正の内容】
【特許請求の範囲】
【請求項１】
移動ウェブ印刷システムにおけるランアウトエラーの補正方法であって、
ウェブ形状の印刷可能な媒体を駆動する第１ローラにおいてランアウトエラーを認識し、
前記認識されたランアウトエラーに対応するランアウト補正値を生成し、
前記第１ローラの角速度に対応するエンコーダ出力と前記生成されたランアウト補正値とに基づいて前記移動ウェブの速度を特定し、
前記第１ローラの近くに設けられたプリントヘッドに吐出信号を送り、該プリントヘッドのインクジェットノズルを作動させて、算出された前記ウェブ速度に対応する位置にて前記ウェブ上にインクを吐出させることを特徴とする方法。
【請求項２】
ウェブ印刷システムにおけるプリントヘッドの吐出動作システムであって、
ウェブ印刷システムの印刷ゾーンを通って移動するウェブに応じて回転するように構成される第１ローラと、
前記第１ローラの近くに取り付けられ、前記第１ローラの角速度に対応する信号を生成する第１エンコーダと、
前記印刷ゾーンにて前記ウェブの近くに位置決めされたプリントヘッドと、
前記第１エンコーダ及び前記プリントヘッドに接続されたコントローラとを備え、
前記コントローラは、前記第１エンコーダから受信した前記信号及び前記コントローラに接続されたメモリに格納されたランアウト補正値に基づいて、前記印刷ゾーンを通って移動する前記ウェブのウェブ速度を計算するように構成され、前記コントローラは、前記プリントヘッドに吐出信号を送信して前記プリントヘッドを動作させ、前記算出ウェブ速度に対応する位置にて前記ウェブ上にインクを吐出させることを特徴とする吐出動作システム。
【請求項３】
請求項２に記載のシステムにおいて、
前記メモリに格納されたランアウト補正値は、前記第１ローラまたは前記第１エンコーダに関連するランアウトエラーに対応する、システム。
【請求項４】
請求項２に記載のシステムにおいて、
前記印刷ゾーンの外側の位置にて前記ウェブの近くに取り付けられた光センサをさらに備え、
前記光センサは、前記ウェブが前記光センサを通過するときに前記ウェブの画像データを生成するように構成され、
前記コントローラは前記光センサに接続され、さらに前記印刷ゾーンにおいて複数のプリントヘッドに吐出信号を送信して前記印刷ゾーンを通って移動する前記ウェブ上にインクを吐出することにより所定パターンを形成し、前記ウェブの前記画像データ及び前記光センサによって生成された前記所定パターンにおけるレジストレーションエラーを認識するように構成されることを特徴とするシステム。
【請求項５】
請求項４に記載のシステムにおいて、
前記コントローラは、さらに、前記認識されたレジストレーションエラーに基づいて前記ランアウトエラー補正値を生成するように構成されることを特徴とするシステム。
【請求項６】
請求項５に記載のシステムにおいて、
前記ランアウトエラー補正値は、前記コントローラに接続された前記メモリに格納された、前記第１ローラに対する半径変化であり、前記コントローラは前記ウェブ速度を補正する際に、前記半径変化によって、第１ローラの径を変更するように構成されることを特徴とするシステム。
【請求項７】
請求項６に記載のシステムにおいて、
前記ランアウトエラー補正値は、前記第１ローラの周面に対するセクタによってインデックスされたルックアップテーブルに格納されることを特徴とするシステム。
【請求項８】
請求項２に記載のシステムにおいて
前記ウェブ印刷システムの前記印刷ゾーンを通って移動する前記ウェブに応じて回転するように構成される第２ローラと、
前記第２ローラの近くに取り付けられ、前記第２ローラの角速度に対応する信号を生成する第２エンコーダと、をさらに備え、
前記コントローラは前記第２エンコーダに接続され、前記コントローラは、前記第１エンコーダ、第２エンコーダから受信した信号及び前記コントローラに接続されたメモリに格納されたランアウト補正値に基づいて、前記印刷ゾーンを通って移動する前記ウェブのウェブ速度を計算するように構成され、前記コントローラは前記プリントヘッドに吐出信号を送信して前記プリントヘッドを動作させ、前記算出ウェブ速度に対応する位置にて前記ウェブ上にインクを吐出させることを特徴とするシステム。
【請求項９】
請求項８に記載のシステムにおいて、
前記第１ローラは、前記第２ローラの半径の整数倍でない半径を有することを特徴とするシステム。
【請求項１０】
請求項８に記載のシステムにおいて、
前記コントローラは、二重反射方法でウェブ速度を算出することを特徴とするシステム。
【手続補正２】
【補正対象書類名】明細書
【補正対象項目名】発明の名称
【補正方法】変更
【補正の内容】
【発明の名称】ウェブ印刷システムにおけるランアウトエラー補正方法及びプリントヘッドの吐出動作システム
【手続補正３】
【補正対象書類名】明細書
【補正対象項目名】０００４
【補正方法】変更
【補正の内容】
【０００４】
システム１０はまた、ウェブ上画像アレイ（ＩＯＷＡ）センサ（ｉｍａｇｅ−ｏｎ−ｗｅｂ  ａｒｒａｙ  （ＩＯＷＡ）  ｓｅｎｓｏｒ）６８を備えてもよく、このＩＯＷＡセンサ６８は、ウェブの一部がＩＯＷＡセンサを通る際にその画像信号を生成するものである。ＩＯＷＡセンサ６８は、少なくとも印刷されるウェブの一部を横切るように延伸する単一または複数列のアレイに配列された複数の光検知器で構成してもよい。光検知器は、ウェブに反射した光に対応する強度を有する信号を生成する。ＩＯＷＡセンサに内蔵された発光源によって光を発生させ、この光を、ウェブがＩＯＷＡセンサの光検知器を通るときにウェブ表面を照射するように方向づける。反射光の強度は、ウェブ表面のインクに吸収された光、ウェブ構造によって散乱した光、及びインクとウェブ表面とによって反射された光の量に左右される。ＩＯＷＡセンサによって生成された画像信号を統合レジストレーションカラーコントローラ（ＩＲＣＣ）によって処理することにより、ウェブ表面に吐出されたインク滴の存在及び位置をＩＯＷＡセンサで検出する。
【手続補正４】
【補正対象書類名】明細書
【補正対象項目名】０００７
【補正方法】変更
【補正の内容】
【０００７】
ロータリーエンコーダによるウェブ速度測定の精度は、ローラ及びその取り付け品質と、エンコーダ及びその取り付け品質とに依存する。ローラを形成するシリンダに欠陥があると、ローラの半径が変わってしまい、これによりウェブ速度測定の精度が影響を受けることになる。同様に、ローラの偏心、ウォブル（ふらつき）または他の周期的な欠陥もまた精度に影響を与える場合がある。同様に、エンコーダに欠陥がある場合や、あるいは生成するウェブ速度信号にエラーが生じるような方法で取り付けられる場合もある。二重反射または単反射印刷方法において、このようなウェブ速度測定におけるエラーは、ウェブがプリントヘッドを通過する際にインクを吐出するプリントヘッドに対する吐出信号のタイミングに影響を与え、結果として画像のミスレジストレーションが発生する。ウェブ速度エラーは回転するロール及びエンコーダにより発生するため、このエラーは周期的なミスレジストレーションとして印刷物に出現し、その周期はローラの１回転に対応している。このエラーをここではランアウトエラーと呼ぶ。本発明は、ウェブ印刷システムにおけるランアウトエラーを補正するためのシステム及び補正方法を提供する。
【手続補正５】
【補正対象書類名】明細書
【補正対象項目名】０００８
【補正方法】変更
【補正の内容】
【０００８】
１つのシステムによると、ウェブ印刷システムを動作させるコントローラが、ウェブ印刷システムの印刷ゾーン内に位置決めされたローラまたはエンコーダにおけるランアウトエラーを補正することを可能とする。このシステムは、ウェブ印刷システムの印刷ゾーンを通って移動するウェブに応じて回転するように構成された第１ローラと、前記第１ローラの近くに取り付けられ、前記第１ローラの角速度に対応する信号を生成する第１エンコーダと、前記印刷ゾーンにて前記ウェブの近くに位置決めされたプリントヘッドと、前記第１エンコーダ及び前記プリントヘッドに接続されたコントローラとを備え、前記コントローラは、前記第１エンコーダから受信した信号及び前記コントローラに接続されたメモリに格納されたランアウト補正値に基づいて前記印刷ゾーンを通って移動する前記ウェブのウェブ速度を計算するように構成され、前記コントローラは前記プリントヘッドに吐出信号を送信して前記プリントヘッドを動作させ、前記算出ウェブ速度に対応する位置にて前記ウェブ上にインクを吐出する。また、本発明に係る移動ウェブ印刷システムにおけるランアウトエラー補正方法は、ウェブ形状の印刷可能な媒体を駆動する第１ローラにおいてランアウトエラーを認識し、前記認識されたランアウトエラーに対応するランアウト補正値を生成し、前記第１ローラの角速度に対応するエンコーダ出力と前記生成されたランアウト補正値とに基づいて前記移動ウェブの速度を特定し、前記第１ローラの近くに設けられたプリントヘッドに吐出信号を送り、該プリントヘッドのインクジェットノズルを作動させて、算出された前記ウェブ速度に対応する位置にて前記ウェブ上にインクを吐出させることを特徴とする。